(57)【要約】【課題】空気調和機におけるエアフィルタの取り外しに際して、手を汚すことなく、塵埃の飛散も抑えることができるフィルタ取外し装置を提供する。【解決手段】このフィルタ取外し装置２０は、空気調和機本体１に着脱可能に取り付けたフィルタ収容ボックス２１と、このフィルタ収容ボックス２１にエアフィルタ５を移送するフィルタ移送手段２２と、このフィルタ移送手段２２を駆動する駆動手段２３とを備えている。従って、塵埃が付着して汚れた使用済みのエアフィルタ５を、直接手で触れることなくフィルタ収容ボックス２１へ移送して処分することができる。【選択図】図５
2008157556.tif 000002
【特許請求の範囲】
【請求項１】
空気調和機本体（１）内にファン（７）及びエアフィルタ（５）を設けて、前記ファン（７）の回転によって前記本体（１）内部に吸込口（１２）から室内空気を吸い込んで、この室内空気に含まれる塵埃を前記エアフィルタ（５）によって捕捉して、清浄化した室内空気を吹出口（１４）から前記本体（１）外部へ排出するようにした空気調和機のフィルタ取外し装置（２０）であって、前記本体（１）に着脱可能に取り付けたフィルタ収容ボックス（２１）と、このフィルタ収容ボックス（２１）に前記エアフィルタ（５）を移送するフィルタ移送手段（２２）と、このフィルタ移送手段（２２）を駆動する駆動手段（２３）とを備えたことを特徴する空気調和機のフィルタ取外し装置。
【請求項２】
前記ファン（７）及び吹出口開閉用のフラップ（１３）の駆動を制御する制御手段（２５）を備え、前記フィルタ収容ボックス（２１）は、フィルタ取込口（３５）を開閉する開閉蓋（３６）を備え、この開閉蓋（３６）は、前記吸込口（１２）から前記吹出口（１４）へ至る空気流路（１５）に臨むように配され、前記制御手段（２５）は、前記エアフィルタ（５）の移送に際して、前記吸込口（１２）から吸い込んだ室内空気の風圧によって前記開閉蓋（３６）が押し拡げられて前記フィルタ取込口（３５）が開放するように、前記ファン（７）を駆動させるとともに前記フラップ（１３）を閉状態とする移送時運転モードを実行する請求項１記載の空気調和機のフィルタ取外し装置。
【請求項３】
前記エアフィルタ（５）が所定位置に装着されているか否かを検知する検知手段（６１）を備え、前記制御手段（２５）は、前記検知手段（６１）が前記エアフィルタ（５）の未装着状態を検知すると、前記移送時運転モード以外での前記ファン（７）及びフラップ（１３）の駆動を停止する請求項２記載の空気調和機のフィルタ取外し装置。
【請求項４】
前記フィルタ収容ボックス（２１）は、前記フィルタ取込口（３５）から流れ込んだ前記本体（１）内部の室内空気を前記本体（１）外部へ排出する排気口（３２）と、この排気口（３２）を覆うようにして取り付けた補助フィルタ（３４）とを備え、前記補助フィルタ（３４）は、前記エアフィルタ（５）よりも目が細かく設定されている請求項２又は３記載の空気調和機のフィルタ取外し装置。
【請求項５】
前記フィルタ移送手段（２２）は、前記エアフィルタ（５）を搬送する搬送ローラ（４０）を備え、この搬送ローラ（４０）を前記フィルタ収容ボックス（２１）のフィルタ取込口（３５）に沿って配置した請求項２乃至４のいずれかに記載の空気調和機のフィルタ取外し装置。
【請求項６】
前記エアフィルタ（５）を保持する保持手段（２４）を備え、この保持手段（２４）の保持力は、前記フィルタ移送手段（２２）によって前記エアフィルタ（５）を移送する力よりも小さく設定されている請求項１乃至５のいずれかに記載の空気調和機のフィルタ取外し装置。
【請求項７】
前記エアフィルタ（５）は、可撓性及び伸縮性を有するものからなる請求項１乃至６のいずれかに記載の空気調和機のフィルタ取外し装置。
【請求項８】
前記エアフィルタ（５）は、その移送方向に沿って山部と谷部が交互に連続するプリーツフィルタからなる請求項７記載の空気調和機のフィルタ取外し装置。
【請求項９】
前記エアフィルタ（５）は、空気調和機本体（１）内に設けたイオン化ユニット（４）によって帯電された塵埃を捕捉するものである請求項１乃至８のいずれかに記載の空気調和機のフィルタ取外し装置。
【発明の詳細な説明】
【技術分野】
【０００１】
この発明は、空気調和機からエアフィルタを取り外すためのフィルタ取外し装置に関するものである。
【背景技術】
【０００２】
一般に、空気清浄機等の空気調和機においては、ファンの回転によって吸込口から室内空気を吸い込んで、この室内空気に含まれる塵埃をエアフィルタによって捕捉して、清浄化した室内空気を吹出口から室内へ戻すようになっている。そして、塵埃の付着によりエアフィルタが汚れて目詰まりが生じると、空気清浄能力が低下するので、この場合、目詰まりが生じた使用済みのエアフィルタを新しいエアフィルタに交換している。
【０００３】
従来、このようなエアフィルタの交換作業は、例えば特許文献１にも開示されているように、使用済みのエアフィルタを手で取り外して、新しいエアフィルタを取り付けるようにしていた。
【特許文献１】特開平６−２７７４２９号公報
【発明の開示】
【発明が解決しようとする課題】
【０００４】
しかしながら、従来においては、エアフィルタの取り外しに際して、エアフィルタに付着している塵埃によって手が汚れたり、塵埃が周辺に飛び散ることで清浄機内部や室内を汚してしまうといった不具合があった。
【０００５】
また、使用済みのエアフィルタを取り外す前に、掃除機等を使用してエアフィルタに付着した塵埃を吸い取ることもなされているが、この場合には、エアフィルタの取り外しに際して、掃除機を使用して塵埃を吸い取る作業が別途必要となり、エアフィルタの交換が面倒になっていた。さらに、エアフィルタが集塵効率の高い不織布等からなるプリーツフィルタの場合には、上記のように掃除機等を使用しても塵埃を効果的に吸い取ることができずにその多くがプリーツフィルタに残ったままとなり、このためプリーツフィルタの取り外しに際して、依然として手が汚れたり、塵埃をまき散らすといった不具合があり、しかもプリーツフィルタの手前に装着している部品を取り外す際にも、塵埃をまき散らして室内を汚してしまうといった不具合があった。
【０００６】
この発明は、上記従来の課題を解決するためになされたものであって、その目的は、空気調和機におけるエアフィルタの取り外しに際して、手を汚すことなく、塵埃の飛散も抑えることができるフィルタ取外し装置を提供することにある。
【課題を解決するための手段】
【０００７】
上記課題を解決するため、この発明のフィルタ取外し装置２０は、空気調和機本体１内にファン７及びエアフィルタ５を設けて、前記ファン７の回転によって前記本体１内部に吸込口１２から室内空気を吸い込んで、この室内空気に含まれる塵埃を前記エアフィルタ５によって捕捉して、清浄化した室内空気を吹出口１４から前記本体１外部へ排出するようにした空気調和機において、前記本体１に着脱可能に取り付けたフィルタ収容ボックス２１と、このフィルタ収容ボックス２１に前記エアフィルタ５を移送するフィルタ移送手段２２と、このフィルタ移送手段２２を駆動する駆動手段２３とを備えたことを特徴する。ここで、エアフィルタ５としては、例えば可撓性及び伸縮性を有し、移送方向に沿って山部と谷部が交互に連続するプリーツフィルタ等が用いられ、空気調和機本体１内に設けたイオン化ユニット４によって帯電された塵埃を捕捉するようになっている。
【０００８】
また、前記ファン７及び吹出口開閉用のフラップ１３の駆動を制御する制御手段２５を備え、前記フィルタ収容ボックス２１は、フィルタ取込口３５を開閉する開閉蓋３６を備え、この開閉蓋３６は、前記吸込口１２から前記吹出口１４へ至る空気流路１５に臨むように配され、前記制御手段２５は、前記エアフィルタ５の移送に際して、前記吸込口１２から吸い込んだ室内空気の風圧によって前記開閉蓋３６が押し拡げられて前記フィルタ取込口３５が開放するように、前記ファン７を駆動させるとともに前記フラップ１３を閉状態とする移送時運転モードを実行するようになっている。
【０００９】
さらに、前記エアフィルタ５が所定位置に装着されているか否かを検知する検知手段６１を備え、前記制御手段２５は、前記検知手段６１が前記エアフィルタ５の未装着状態を検知すると、前記移送時運転モード以外での前記ファン７及びフラップ１３の駆動を停止するようになっている。
【００１０】
また、前記フィルタ収容ボックス２１は、前記フィルタ取込口３５から流れ込んだ前記本体１内部の室内空気を前記本体１外部へ排出する排気口３２と、この排気口３２を覆うようにして取り付けた補助フィルタ３４とを備え、前記補助フィルタ３４は、前記エアフィルタ５よりも目が細かく設定されている。
【００１１】
さらに、前記フィルタ移送手段２２は、前記エアフィルタ５を搬送する搬送ローラ４０を備え、この搬送ローラ４０を前記フィルタ収容ボックス２１のフィルタ取込口３５に沿って配置している。
【００１２】
さらにまた、前記エアフィルタ５を保持する保持手段２４を備え、この保持手段２４の保持力は、前記フィルタ移送手段２２によって前記エアフィルタ５を移送する力よりも小さく設定されている。
【発明の効果】
【００１３】
上記発明の空気調和機においては、塵埃が付着して汚れた使用済みのエアフィルタを、直接手で触れることなくフィルタ収容ボックスへ移送して処分することができる。従って、エアフィルタの取り外しに際して、手を汚すことなく、塵埃の飛散も抑えることができ、エアフィルタの交換作業を簡単且つ衛生的に行うことができる。
【００１４】
また、エアフィルタのフィルタ収容ボックスへの移送に際して、ファンを駆動させるとともに吹出口開閉用のフラップを閉状態として、吸込口から吸い込んだ室内空気の風圧によってフィルタ収容ボックスのフィルタ取込口を開放させる移送時運転モードを実行することで、エアフィルタから塵埃が脱落することがあっても、空気流路内の室内空気のフィルタ収容ボックスへの流れ込みに伴って塵埃もフィルタ収容ボックスへ導かれて、塵埃の飛散をより確実に防止することができる。
【００１５】
さらに、エアフィルタが所定位置に装着されていないときに、移送時運転モード以外でのファン及びフラップの駆動を停止することで、新しいエアフィルタを付け忘れたままでの通常運転の開始を防止することができる。
【００１６】
さらにまた、フィルタ収容ボックスの排気口を覆うようにして、エアフィルタよりも目の細かい補助フィルタを設けることで、フィルタ収容ボックスへ導かれた塵埃を補助フィルタによって確実に捕捉して、排気口から外部への塵埃の漏れを防止することができる。
【００１７】
さらに、フィルタ移送手段の搬送ローラを、フィルタ収容ボックスのフィルタ取込口に沿って配置することで、塵埃の飛び散る可能性の高い搬送ローラ周りにおいて、塵埃をフィルタ収容ボックスへ効果的に導くことができ、塵埃の飛散をより確実に抑えることができる。
【００１８】
また、エアフィルタを保持する保持力を、エアフィルタを移送する力よりも小さくすることで、エアフィルタに無理な力をかけることなく、エアフィルタの移送に伴ってエアフィルタの保持をスムーズに解除することができ、塵埃の飛散をより確実に抑えることができる。さらに、エアフィルタとして、その移送方向に沿って山部と谷部が交互に連続するような可撓性及び伸縮性を有するプリーツフィルタを用いることで、エアフィルタをフィルタ収容ボックス内においてコンパクトに縮めた状態で確実に収容することができる。
【発明を実施するための最良の形態】
【００１９】
以下、この発明の実施形態を図面に基づいて詳細に説明する。図１は、この発明の一実施形態に係る空気調和機としての空気清浄機の内部構成を示す概略図である。この空気清浄機は、清浄機本体１内に、高速電子を放出する放電ユニット２、プレフィルタ３、室内空気に含まれる塵埃を帯電させるイオン化ユニット４、この発明のエアフィルタとしての可撓性及び伸縮性を有する不織布であるプリーツフィルタ５、光触媒及び脱臭触媒を備えた触媒ユニット６、ファン７等が組み込まれている。
【００２０】
清浄機本体１は、図２に示すように、前面が開放した箱形に形成された基部１０と、この基部１０の前面開口を覆うようにして基部１０に着脱可能に取り付けられた前面パネル１１とからなる。そして、この清浄機本体１の側面前端には空気吸込口１２が形成され、上面後端にはフラップ１３によって開閉する空気吹出口１４が形成され、内部には吸込口１２から上記各種フィルタやユニットを通って吹出口１４に至る空気流路１５が形成されている。
【００２１】
この空気清浄機においては、放電ユニット２から放出した高速電子を空気流路１５へ供給しながら、ファン７の回転によって室内空気を吸込口１２から本体１内部の空気流路１５に吸い込む。吸い込まれた室内空気は、プレフィルタ３、イオン化ユニット４、プリーツフィルタ５、触媒ユニット６を順次通過する。これによって、室内空気に含まれるハウスダスト、花粉やダニ等のアレルゲン物質、細菌やウイルス、ホルムアルデヒド等の有害物質、タバコ臭やカビ臭のニオイ成分といった各種の塵埃が捕捉、分解される。特に、プリーツフィルタ５では、イオン化ユニット４によって帯電された塵埃を捕捉するようになっている。そして、清浄化された室内空気は、吹出口１４から本体１外部へ排出されて室内に戻るようになっている。
【００２２】
このような空気清浄作業を繰り返し行うと、捕捉した塵埃によってプリーツフィルタ５が汚れて目詰まりが生じ、空気清浄能力が低下してくる。この場合、汚れたプリーツフィルタ５を清浄機本体１から取り外して、新しいプリーツフィルタ５を取り付けるが、この空気清浄機にはフィルタ取外し装置２０が設けられていて、汚れたプリーツフィルタ５に直接手を触れることなく、清浄機本体１から取り外して捨てることができるようになっている。
【００２３】
このフィルタ取外し装置２０は、清浄機本体１に着脱可能に取り付けたフィルタ収容ボックス２１と、このフィルタ収容ボックス２１にプリーツフィルタ５を移送するフィルタ移送手段２２と、このフィルタ移送手段２２を駆動する駆動手段２３と、プリーツフィルタ５を所定位置に保持する保持手段２４と、ファン７及び吹出口開閉用のフラップ１３の駆動を制御する制御手段２５とを備えている。
【００２４】
フィルタ収容ボックス２１は、図４に示すように、上面が開放した横長のボックス本体３０と、このボックス本体３０の上面開口を覆うようにしてボックス本体３０に着脱可能に取り付けられた蓋体３１とからなる。
【００２５】
ボックス本体３０の短手方向に沿った一側面には、排気口３２及び取手３３が形成されている。そして、ボックス本体３０の一側面内側には、排気口３２を覆うようにして補助フィルタ３４が着脱可能に取り付けられている。この補助フィルタ３４は、プリーツフィルタ５よりも目が細かく設定されている。
【００２６】
蓋体３１には、横長のフィルタ取込口３５が形成され、このフィルタ取込口３５を開閉する開閉蓋３６がバネ付きのヒンジ３７を介して取り付けられている（図６参照）。開閉蓋３６は、通常の状態においてバネの付勢によって蓋体３１の下面に当接してフィルタ取込口３５を塞ぎ、上方から一定以上の負荷がかかるとバネの付勢力に抗して押し下げられてフィルタ取込口３５を開放するようになっている。なお、蓋体３１には、スリット３８が形成されていて、このスリット３８に補助フィルタ３４の上端部を挿入することで、補助フィルタ３４をボックス本体３０内に保持するようになっている。
【００２７】
このようにして構成されたフィルタ収容ボックス２１は、図２及び図３に示すように、ボックス本体３０の一側面が清浄機本体１の側面において外部に露出するように清浄機本体１に装着され、取手３３を持って側方へ引き出すことで、清浄機本体１から取り外すことができるようになっている。そして、清浄機本体１への装着時において、開閉蓋３６が空気流路１５に臨むように配置されている。
【００２８】
フィルタ移送手段２２は、図５及び図６に示すように、プリーツフィルタ５を搬送する搬送ローラ４０と、この搬送ローラ４０によって搬送されるプリーツフィルタ５をガイドするガイドローラ４１及びガイド部材４２、４３とから構成されている。
【００２９】
搬送ローラ４０は、フィルタ収容ボックス２１のフィルタ取込口３５に沿ってその直上に配置されており、この搬送ローラ４０に対向してガイドローラ４１及びガイド部材４２、４３が配置されている。搬送ローラ４０の外周面には、図示しない複数の歯が形成されていて、これら歯をプリーツフィルタ５に噛み込ませながら、搬送ローラ４０とガイド部材４３とによってプリーツフィルタ５を挟み込むことで、プリーツフィルタ５を確実に移送するようになっている。
【００３０】
駆動手段２３は、図２及び図３に示すように、清浄機本体１の側面下部に回転自在に取り付けられて、図示しないギア機構を介して搬送ローラ４０に連結された操作ダイヤルからなる。従って、この外部に露出した操作ダイヤル２３を手動で回転させるだけで、清浄機本体１内部の搬送ローラ４０が回転して、プリーツフィルタ５の取り外し作業が行えるようになっている。なお、このようにプリーツフィルタ５の取り外し作業を手動で行うだけでなく、駆動手段２３として搬送ローラ４０を回転させる駆動モータを用いて、プリーツフィルタ５の取り外し作業を自動化しても良い。
【００３１】
保持手段２４は、図５及び図７に示すように、プリーツフィルタ５の上端部に取り付けた薄膜状の金属片５０と、清浄機本体１の内部に設けた支持部材５１に取り付けられて、金属片５０を吸着する磁石体５２とからなる。そして、この保持手段２４の保持力すなわち磁石体５２の吸着力は、フィルタ移送手段２２によってプリーツフィルタ５を移送する力よりも小さく設定されている。したがって、フィルタ移送手段２２によってプリーツフィルタ５を移送すると、移送方向に沿って山部と谷部が交互に連続するように配されているプリーツフィルタ５が移送方向に伸長して、その引っ張り力によって金属片５０が磁石体５２から外れて、プリーツフィルタ５の保持がスムーズに無理なく解除されるようになっている。なお、保持手段２４としては、このようなプリーツフィルタ５側に別部材を取り付けるようなものだけに限らず、プリーツフィルタ５に無理な力をかけることなく簡単に保持を解除できる機構であれば良く、例えば支持部材５１に取り付けたフックによってプリーツフィルタ５の上端部を仮止めするような構造のものや、支持部材５１に取り付けた挟持部材の互いに吸着し合う磁石間にプリーツフィルタ５の上端部を挟み込んで仮止めするような構造のものであっても良い。
【００３２】
制御手段２５としては、空気清浄機の各種運転モードを実行するためのマイクロコンピュータが利用されており、図８に示すように、その入力側にプリーツフィルタ５の移送に際しての移送時運転モードを開始するための運転開始スイッチ６０、プリーツフィルタ５が所定位置に装着されているか否かを検知する検知手段として装着検知センサ６１が接続され、その出力側にファン７、吹出口開閉用のフラップ１３が接続されている。
【００３３】
そして、この制御手段２５は、運転開始スイッチ６０をオン状態にすることで、吸込口１２から吸い込んだ室内空気の風圧によってフィルタ収容ボックス２１の開閉蓋３６が押し拡げられてフィルタ取込口３５が開放するように、ファン７を駆動させるとともにフラップ１３を閉状態とする移送時運転モードを実行し、装着検知センサ６１がプリーツフィルタ５の未装着状態を検知すると、移送時運転モード以外でのファン７及びフラップ１３の駆動を停止する運転停止モードを実行する。
【００３４】
次に、上記構成の空気清浄機におけるプリーツフィルタ５の交換作業について説明する。プリーツフィルタ５が汚れて目詰まりが生じてくると、これを図示しないセンサが検知して、フィルタ交換を促す警告ランプが点灯する。ここで、運転開始スイッチ６０を手動又はリモコンで操作してオン状態とすると、ファン７が駆動(弱回転)するとともに、フラップ１３が閉状態となって吹出口１４を閉じて、移送時運転モードが開始する。これにより、吸込口１２から吸い込まれた室内空気は、空気流路１５内において行き場がなくなり、空気流路１５内の圧力が上昇する。すると、空気流路１５に面しているフィルタ収容ボックス２１の開閉蓋３６に上方から負荷がかかり、開閉蓋３６がバネの付勢力に抗して押し下げられて、フィルタ取込口３５が自動的に開放する。これにより、空気流路１５内の室内空気がフィルタ取込口３５からフィルタ収容ボックス２１へ流れ込み、補助フィルタ３４を通過しながら排気口３２から外部へ排出される。
【００３５】
この状態で、操作ダイヤル２３を所定の方向に回転させると、これに伴って搬送ローラ４０が回転し、図９に示すように、プリーツフィルタ５が移送方向に伸長しながらその下端部が開放したフィルタ取込口３５からフィルタ収容ボックス２１へ送り込まれる。操作ダイヤル２３を引き続き回転すると、プリーツフィルタ５の上端部の吸着部分に作用するプリーツフィルタ５の引っ張り力が増して、図１０に示すように、プリーツフィルタ５の金属片５０が清浄機本体１側の磁性体５２から外れる。そして、さらに操作ダイヤル２３を回転し続けることで、図１１に示すように、プリーツフィルタ５がフィルタ収容ボックス２１内においてフィルタ取込口３５からはみ出すことなくコンパクトに縮まった状態で完全に収容される。なお、プリーツフィルタ５の移送を終えると、搬送ローラ４０及び操作ダイヤル２３が空回りするので、この時点で操作ダイヤル２３の回転を停止すれば良い。
【００３６】
このプリーツフィルタ５のフィルタ収容ボックス２１への移送に際して、プリーツフィルタ５から塵埃が脱落することがあるが、このとき、空気流路１５内の室内空気もフィルタ収容ボックス２１へ流れ込んでいるので、この室内空気の流れによって塵埃もフィルタ収容ボックス２１へ導かれて、塵埃が周辺に飛散することを防止することができる。また、特にプリーツフィルタ５に接触する搬送ローラ４０周りでは、塵埃が飛び散る可能性が高いが、搬送ローラ４０はフィルタ取込口３５に沿って配されているので、搬送ローラ４０周りにおいて飛び散る塵埃も確実にフィルタ収容ボックス２１へ導くことができる。フィルタ収容ボックス２１内へ流れ込んだ塵埃は、プリーツフィルタ５よりも目の細かい補助フィルタ３４によって捕捉されるので、排気口３２から室内へ排出されることはない。
【００３７】
このようにして、プリーツフィルタ５のフィルタ収容ボックス２１内への収容が完了すると、清浄機本体１からフィルタ収容ボックス２１を取り外し、フィルタ収容ボックス２１の蓋体３１を開けてボックス本体３０内のプリーツフィルタ５及び塵埃を捨てれば良い。従って、直接手でプリーツフィルタ５に触れることなく、汚れたプリーツフィルタ５を取り外して処分することができる。フィルタ収容ボックス２１を取り外すと、ファン７の回転が停止して、移送時運転モードが終了する。
【００３８】
そして、プリーツフィルタ５及び塵埃を捨てた後のフィルタ収容ボックス２１を、再び清浄機本体１に取り付けて、清浄機本体１の前面パネル１１を開けて、新しいプリーツフィルタ５を所定位置に装着する。このプリーツフィルタ５の装着に際しては、その上端部の金属片５０を清浄機本体１側の磁性体５２に吸着するとともに、その下端部を搬送ローラ４０とガイド部材４３との間に差し入れるようにする。このようにして、プリーツフィルタ５の交換作業が完了すると、警告ランプが消灯する。ここで、新しいプリーツフィルタ５の装着を忘れて通常運転を開始しようとしても、装着検知センサ６１がこれを検知し、制御手段２５が運転停止モードを実行してファン７及びフラップ１３の駆動を停止するので、新しいプリーツフィルタ５を付け忘れたままでの通常運転が行われることはない。
【００３９】
このように、上記のフィルタ取外し装置２０を備えた空気清浄機においては、プリーツフィルタ５の取り外しに際して、手を汚すことなく、また塵埃が周辺に飛び散って清浄機内部や室内を汚してしまうといった不具合もなくすことができ、プリーツフィルタ５の交換作業を簡単且つ衛生的に行うことができる。
【００４０】
以上にこの発明の具体的な実施の形態について説明したが、この発明は上記形態に限定されるものではなく、この発明の範囲内で種々変更して実施することができる。例えば、この発明のフィルタ取外し装置は、空気清浄機だけに限らす、エアコン室内機や加湿機、除湿機といったその他の空気調和機に対しても適用可能である。
【図面の簡単な説明】
【００４１】
【図１】この発明の一実施形態に係る空気清浄機の内部構成を示す概略図である。
【図２】空気清浄機の斜視図である。
【図３】フィルタ収容ボックスを取り外した状態の空気清浄機の斜視図である。
【図４】フィルタ収容ボックスの分解斜視図である。
【図５】空気清浄機の内部機構を省略して要部のみ示す縦断面図である。
【図６】同じくそのフィルタ収容ボックス付近の拡大縦断面図である。
【図７】同じくそのプリーツフィルタ上端部付近の拡大縦断面図である。
【図８】制御手段のブロック図である。
【図９】フィルタ移送開始直後の状態を示す縦断面図である。
【図１０】フィルタ移送途中の状態を示す縦断面図である。
【図１１】フィルタ移送完了時の状態を示す縦断面図である。
【符号の説明】
【００４２】
１・・空気清浄機本体（空気調和機本体）、４・・イオン化ユニット、５・・プリーツフィルタ（エアフィルタ）、７・・ファン、１２・・吸込口、１３・・フラップ、１４・・吹出口、１５・・空気流路、２０・・フィルタ取外し装置、２１・・フィルタ収容ボックス、２２・・フィルタ移送手段、２３・・操作ダイヤル（駆動手段）、２４・・保持手段、２５・・制御手段、３２・・排気口、３４・・補助フィルタ、３５・・フィルタ取込口、３６・・開閉蓋、４０・・搬送ローラ、６１・・装着検知センサ（検知手段）
【図１】
2008157556.tif 000003
【図２】
2008157556.tif 000004
【図３】
2008157556.tif 000005
【図４】
2008157556.tif 000006
【図５】
2008157556.tif 000007
【図６】
2008157556.tif 000008
【図７】
2008157556.tif 000009
【図８】
2008157556.tif 000010
【図９】
2008157556.tif 000011
【図１０】
2008157556.tif 000012
【図１１】
2008157556.tif 000013